(57)【要約】【課題】棚部材の下方に、大きな布団等であっても、支持脚等が邪魔になるようなこともなくスムーズ出し入れすることができるようにする。【解決手段】棚部材２の一端側から下方突出した脚部材３と、棚部材２の他端側から上方突出した吊り部材４とを備え、棚部材２の一端側を脚部材３で支持し、棚部材２の他端側を吊り部材４で吊り上げて支持するようにした。【選択図】      図１
2004313270.tif 000002
【特許請求の範囲】
【請求項１】
棚部材（２）の一端側から下方突出した脚部材（３）と、棚部材（２）の他端側から上方突出した吊り部材（４）とを備え、棚部材（２）の一端側を脚部材（３）で支持し、棚部材（２）の他端側を吊り部材（４）で吊り上げて支持するようにしたことを特徴とする棚装置。
【請求項２】
棚部材（２）の後端側から下方突出した左右一対の支持脚杆（５）と、棚部材（２）の前端側から上方突出した左右一対の吊り杆（６）とを有し、棚部材（２）の後端側を左右一対の支持脚杆（５）で支持し、棚部材（３）の前端側を左右一対の吊り杆（６）で吊り上げて支持するようにしたことを特徴とする棚装置。
【発明の詳細な説明】
【０００１】
【発明の属する技術分野】
本発明は、押入等で使用される棚装置に関する。
【０００２】
【従来の技術】
押入等で使用される棚装置には、棚部材の後端側から下方突出した左右一対の後支持脚と、棚部材の前端側から下方突出した左右一対の前支持脚とを有し、棚部材の後端側を左右一対の後支持脚で支持し、棚部材の前端側を左右一対の前支持脚で支持するようにしたものがある（例えば、特許文献１）。そして、この棚装置を押入等に設置し、棚部材の下方に折り畳んだ布団等を収納すると共に、棚部材上に収納箱等を載置し、これにより押入等に布団や収納箱等を複数段に収まりよく収納できるようにしていた。
【０００３】
【特許文献１】
特開２０００−６０６５５号公報
【特許文献２】
特開２０００−２６２３４１号公報
【特許文献３】
特開平０９−６５９３７号公報
【０００４】
【発明が解決しようとする課題】
しかし、従来の場合、棚部材の後端側から下方突出した左右一対の後支持脚と、棚部材の前端側から下方突出した左右一対の前支持脚とを有していたため、棚部材の下方に、布団等を収納する場合には、前支持脚が邪魔になって、大きな布団等を収納することが困難になったり、布団等の出し入れが面倒になるという問題があった。
本発明は上記問題点に鑑み、棚部材の下方に、大きな布団等であっても、支持脚等が邪魔になるようなこともなくスムーズに出し入れすることができるようにしたものである。
【０００５】
【課題を解決するための手段】
この技術的課題を解決するための本発明の技術的手段は、棚部材２の一端側から下方突出した脚部材３と、棚部材２の他端側から上方突出した吊り部材４とを備え、棚部材２の一端側を脚部材３で支持し、棚部材２の他端側を吊り部材４で吊り上げて支持するようにした点にある。
また、本発明の他の技術的手段は、棚部材２の後端側から下方突出した左右一対の支持脚杆５と、棚部材２の前端側から上方突出した左右一対の吊り杆６とを有し、棚部材２の後端側を左右一対の支持脚杆５で支持し、棚部材３の前端側を左右一対の吊り杆６で吊り上げて支持するようにした点にある。
【０００６】
なお、本発明の他の技術的手段として、棚部材２は、前枠杆９と後枠杆１０と左右一対の側枠杆１１とを矩形状に有し、前枠杆９と後枠杆１０とは左右方向に長さ調整自在とされ、前枠杆９と後枠杆１０との間に、複数の連結杆３３，３４が着脱自在に連結されていてもよい。
また、本発明の他の技術的手段として、矩形状の棚部材２の四隅部に、左右一対の前継手２１と左右一対の後継手２２とが設けられ、
左右一対の前継手２１に、前枠杆９の一端部と側枠杆１１の前端部と吊り杆６の下端部とが連結固定され、左右一対の後継手２２に、後枠杆２２の一端部と側枠杆１１の後端部と支持脚杆５の上端部とが連結固定されていてもよい。
【０００７】
また、本発明の他の技術的手段として、吊り杆６の上端部に取付部材５１が設けられ、取付部材５１は、被取付部材の下面に、下側から接当してビス等の固定具５６により固定される固定体５３と、吊り杆６の上端に固設された取付体５４とを有し、取付体５４と固定体５３とは互いに着脱自在に嵌合固定されていてもよい。
【０００８】
【発明の実施の形態】
以下、本発明を図示の実施の形態に従って説明する。図１〜図５において、棚装置１は、棚部材２と脚部材３と吊り部材４とを備え、脚部材３は左右一対の支持脚杆５からなり、吊り部材４は左右一対の吊り杆６からなっている。
左右一対の支持脚杆５（脚部材３）は、棚部材２の後端側（一端側）から下方突出され、棚部材２の後端側（一端側）を支持している。左右一対の吊り杆６（吊り部材４）は、棚部材２の前端側（他端側）から上方突出され、棚部材２の前端側（他端側）を吊り上げて支持している。
【０００９】
棚部材２は、前枠杆９と後枠杆１０と左右一対の側枠杆１１とを矩形状に有している。左右一対の側枠杆１１は合成樹脂等により円筒状に形成されている。
図８又は図１０に示すように、前枠杆９及び後枠杆１０は、それぞれ合成樹脂等により形成された外筒体１３と内筒体１４と連結筒１５とを備える。外筒体１３と内筒体１４とは互いに長手方向に摺動自在に嵌合され、これにより前枠杆９及び後枠杆１０は伸縮自在になっている。連結筒１５の一端部に外筒体１３の内筒体１４側端部が内嵌固着され、連結筒１５の他端部に内筒体１４の中途部が摺動自在に内嵌され、連結筒１５の他端部に締め付けボルト１７が径方向に螺合され、締め付けボルト１７の締め付けにより、内筒体１４が外筒体１３に対して摺動不能になって前枠杆９及び後枠杆１０がそれぞれ伸縮不能にロックされようになっており、従って締め付けボルト１７の締緩によって、前枠杆９び後枠杆１０（棚部材３）は長さ調整自在に構成されている。
【００１０】
棚部材３の四隅部に、左右一対の前継手２１と左右一対の後継手２２とが設けられている。左右一対の前継手２１は、図９に示すように、合成樹脂等により形成され、前枠杆接続筒２４と側枠杆接続筒２５と吊り杆接続筒２６とを一体に有している。左右一対の後継手２２は、図１１に示すように、合成樹脂等により形成され、後枠杆接続筒２８と側枠杆接続筒２９と支持脚接続筒３０とを一体に有している。
左右一対の前継手２１の前枠杆接続筒２４に前枠杆１の一端部（外筒体１３の外端部又は内筒体１４の外端部）が着脱不能又は着脱可能に内嵌固着され、側枠杆接続筒２５に側枠杆１１の前端部が着脱自在に内嵌保持され、吊り杆接続筒２６に吊り杆６の下端部（後述する外筒体４５の下端部）が着脱自在に内嵌保持されるようになっており、左右一対の前継手２１に、前枠杆９の一端部と側枠杆１１の前端部と吊り杆６の下端部とが連結固定されている。
【００１１】
左右一対の後継手２２の後枠杆接続筒２８に後枠杆１０の一端部（外筒体１３の外端部又は内筒体１４の外端部）が着脱不能又は着脱可能に内嵌固着され、側枠杆接続筒２９に側枠杆１１の後端部が着脱自在に内嵌保持され、支持脚接続筒３０に支持脚５の上端部（後述する外筒体３９の上端部）が着脱自在に内嵌保持されるようになっており、左右一対の後継手２２に、後枠杆１０の一端部と側枠杆１１の後端部と支持脚５の上端部とが連結固定されている。
前記前枠杆９と後枠杆１０との間には、外筒体１３の中途部同士を連結する第１連結杆３３と、内筒体１４の中途部同士を連結する第２連結杆３４とが夫々複数本ずつ設けられている。図１２に示すように、第１連結杆３３の両端部に、外筒体１３に上側から着脱自在に嵌合するフック体３５が設けられ、第２連結杆３４の両端部に、内筒体１４に上側から着脱自在に嵌合するフック体３６が設けられている。
【００１２】
第１連結杆３３のフック体３５は、弾性によって前枠杆９又は後枠杆１０の外筒体１３の上半部に簡単に外嵌できるようになっている。第２連結杆３４のフック体３６は、弾性によって前枠杆９又は後枠杆１０の内筒体１４の上半部に簡単に外嵌できるようになっている。
図１３に示すように、各支持脚杆５は、合成樹脂等により形成された外筒体３９と内筒体４０と連結筒４１とを備える。外筒体３９と内筒体４０とは互いに長手方向（上下方向）に摺動自在に嵌合され、これにより各支持脚杆５は伸縮自在になっている。連結筒４１の一端部（上端部）に外筒体３９の内筒体４０側端部（下端部）が内嵌固着され、連結筒４１の他端部（下端部）に内筒体４０の中途部が摺動自在に内嵌されている。内筒体４０に長手方向摺動自在に外嵌した締付筒４３を、外筒体３９側に摺動して連結筒４１の他端部に外嵌することにより、締付筒４３で連結筒４１の他端部を径方向内方に締め付けることができ、締付筒４３の連結筒４１への締め付けにより、内筒体４０が外筒体３９に対して摺動不能になって各支持脚杆５が伸縮不能にロックされようになっており、従って締付筒４３による締緩によって、各支持脚杆５はそれぞれ長さ調整自在に構成されている。
【００１３】
図１４に示すように、左右一対の吊り杆６は、合成樹脂等により形成された外筒体４５と内筒体４６と連結筒４７とを備える。外筒体４５と内筒体４６とは互いに長手方向に摺動自在でかつ軸心廻りに相対回動自在に嵌合され、これにより吊り杆６は伸縮自在になっている。連結筒４７の一端部（下端部）に外筒体４５の内筒体４６側端部（上端部）が内嵌固着され、連結筒４７の他端部（上端部）に内筒体４６の中途部が摺動自在でかつ軸心廻りに回動自在に内嵌され、連結筒４７の他端部に締め付けボルト４８が径方向に螺合され、締め付けボルト４８の締め付けにより、内筒体４６が外筒体４５に対して摺動不能になって吊り杆６がそれぞれ伸縮不能にロックされようになっており、従って締め付けボルト４８の締緩によって、各吊り杆６はそれぞれ長さ調整自在に構成されている。
【００１４】
図１５及び図１６に示すように、各吊り杆６の上端に取付部材５１が設けられている。取付部材５１は固定体５３と取付体５４とを有し、取付体５４は吊り杆６の上端（内筒体４６上端）に固設又は一体に形成され、固定体５３は、取付体５４とは別体に構成されていて、取付体５４に対して嵌合凹部５８及び嵌合凸部５９を介して着脱自在に嵌合されると共に、取付体５４及び固定体５３にピン５５を挿通することにより、取付体５４に対して着脱自在に組み付け固定され、固定体５３は、押入５７の天井部や中間仕切壁等の下面に下側から接当してビス等の固定具５６により固定されるようになっている。
【００１５】
上記実施の形態によれば、棚装置１を、例えば、図１に示す押入５７に設置する場合、図１５及び図１６に示すように、取付部材５１の固定体５３を、ビス等の固定具５６により押入５７の天井部や中間仕切壁等の被取付部５７ａの下面に固定した後、左右一対の支持脚杆５を押入５７の床５７ｃ等に設置して、押入５７の内壁面５７ｂに沿うように上下方向に配置し、左右一対の支持脚杆５を長さ調整すると共に、左右一対の吊り杆６を長さ調整して、棚部材２を水平にすると共に、被取付部５７ａの下面に固定した固定体５３に、取付部材５１の取付体５４を接近させて、取付体５４と固定体５３とを嵌合して、取付体５４と固定体５３とにピン５５を挿入することにより、取付体５４と固定体５３とを組み付ければよく、棚装置１を押入５７等に簡単に設置することができる。
【００１６】
そして、棚部材２の下方に折り畳んだ布団６１等を収納し、棚部材２上に収納箱６２等を載置すればよく、押入５７等に布団６１や収納箱６２等を複数段に収まりよく収納できる。この際に、棚部材２の下方に、大きな布団６１等であっても、支持脚杆等が邪魔になるようなこともなくスムーズに出し入れすることができる。
図１７は他の実施形態を示し、２つの棚部材２を、左右一対の前継手２１及び左右一対の後継手２２を介して４本の連結杆６７により連結した２段式にしたものである。その他の点は前記実施の形態の場合と同様の構成である。
【００１７】
なお、前記実施の形態では、棚部材２を１段又は２段設けるようにしているが、これに代え、棚部材２を３段以上設けるようにしてもよい。
また、前記実施の形態では、脚部材３は左右一対の支持脚杆５からなり、吊り部材４は左右一対の吊り杆６からなっているが、これに代え、脚部材３を１枚の板部材等により構成すると共に、吊り部材４を１枚の板部材等により構成するようにしてもよいし、また、脚部材３を３本以上の支持脚杆５から構成すると共に、吊り部材４を３本以上の吊り杆６により構成するようにしてもよい。
【００１８】
【発明の効果】
本発明によれば、棚部材の下方に、大きな布団等であっても、支持脚等が邪魔になるようなこともなくスムーズ出し入れすることができるようになる。
【図面の簡単な説明】
【図１】本発明の一実施の形態を示す棚装置の斜視図である。
【図２】同棚装置の正面図である。
【図３】同棚装置の背面図である。
【図４】同棚装置の平面図である。
【図５】同棚装置の底面図である。
【図６】同棚装置の右側面図である。
【図７】同棚装置の左側面図である。
【図８】同棚装置の前枠杆及び前継手部分の正面断面図である。
【図９】同前継手換の斜視図である。
【図１０】同棚装置の後枠杆及び後継手部分の背面断面図である。
【図１１】同後継手の斜視図である。
【図１２】同第１連結杆又は第２連結杆の側面図である。
【図１３】同支持脚杆の斜視図である。
【図１４】同吊り杆の正面断面図である。
【図１５】同取付部材の斜視図である。
【図１６】同取付部材の断面図である。
【図１７】他の実施の形態を示す斜視図である。
【符号の説明】
１      棚装置
２      棚部材
３      脚部材
４      吊り部材
５      支持脚杆
６      吊り杆
９      前枠杆
１０    後枠杆
２１    前継手
２２    後継手
３３    第１連結杆
３４    第２連結杆
５１    取付部材
５３    固定体
５４    取付体
【図１】
2004313270.tif 000003
【図２】
2004313270.tif 000004
【図３】
2004313270.tif 000005
【図４】
2004313270.tif 000006
【図５】
2004313270.tif 000007
【図６】
2004313270.tif 000008
【図７】
2004313270.tif 000009
【図８】
2004313270.tif 000010
【図９】
2004313270.tif 000011
【図１０】
2004313270.tif 000012
【図１１】
2004313270.tif 000013
【図１２】
2004313270.tif 000014
【図１３】
2004313270.tif 000015
【図１４】
2004313270.tif 000016
【図１５】
2004313270.tif 000017
【図１６】
2004313270.tif 000018
【図１７】
2004313270.tif 000019